(57)【特許請求の範囲】
【請求項１】
画像を静止画として撮像する静止画モードと画像を動画として撮像する動画モードとを有する、撮像装置において、
所定の操作子を有しており、撮像に関する操作が可能である操作側ブロックと、
前記操作側ブロックとは着脱自在であり、前記操作側ブロックで実行された操作に基づいて撮像処理を行う撮像側ブロックと、
前記操作側ブロックと前記撮像側ブロックとの間に配設されている電源線とを、備えており、
前記撮像側ブロックは、
前記所定の操作子が所定時間以上操作され続けられたか否かを判断し、前記所定の操作子が所定時間以上操作され続けられた場合には、前記静止画モードから前記動画モードへとモードの切替を行う制御部を、備えており、
前記所定の操作子は、前記操作側ブロックから前記撮像側ブロックへの電源の供給を操作する電源ボタンであり、
前記電源線を介して、前記電源ボタンの操作に応じた前記操作側ブロックから前記撮像側ブロックへの電源の供給、前記電源ボタンの操作に応じた前記撮像側ブロックに対する撮像操作、および前記電源ボタンの操作に応じた前記モードの切替が行われる、
ことを特徴とする撮像装置。
【請求項２】
前記撮像側ブロックは、
画像の圧縮データを作成する画像圧縮モジュールを、さらに備えており、
前記制御部は、
前記動画モードに切り替わった場合には、前記圧縮データに、前記動画モードで撮像されたことを識別するための第一の情報部を付加する、
ことを特徴とする請求項１に記載の撮像装置。
【請求項３】
前記画像圧縮モジュールは、
ＪＰＥＧデータである前記圧縮データを作成し、
前記制御部は、
前記圧縮データに、グループ情報とシーケンシャル情報とから成る第二の情報部を、さらに付加する、
ことを特徴とする請求項２に記載の撮像装置。
【請求項４】
前記撮像側ブロックは、
画像の圧縮データを作成する画像圧縮モジュールを、さらに備えており、
前記画像圧縮モジュールには、
圧縮処理により前記圧縮データを作成する際、および／または前記圧縮データの伸張処理の際に用いられる所定のテーブルが記憶されている、
ことを特徴とする請求項１に記載の撮像装置。
【請求項５】
前記制御部は、
前記画像圧縮モジュールにおいて、前記所定のテーブルに含まれる量子化テーブルを用いて前記圧縮データを作成する際に、前記量子化テーブルに対するスケールファクタを変更することが可能であり、前記圧縮データに前記スケールファクタに関する情報を付加する、
ことを特徴とする請求項４に記載の撮像装置。
【発明の詳細な説明】
【技術分野】
【０００１】
この発明は、撮像装置に係る発明である。特に、動画モードと静止画モードとを有する撮像装置に係わる発明である。
【背景技術】
【０００２】
撮像機能を有する携帯情報端末機器が存在している。当該携帯情報端末機器では、静止画および動画の撮像が可能である。ここで、当該携帯情報端末機器では、撮像機能を有する装置部分が携帯情報端末機器の本体部と一体的になっている。
【発明の開示】
【発明が解決しようとする課題】
【０００３】
しかし、上記のように撮像機能を有する装置部分は、携帯情報端末機器の本体部に常に接続されている。したがって、携帯情報端末機器の電源は、常に撮像機能を有する部分に供給される（消費電力が増大する）。当該消費電力増大は、結果として携帯情報端末機器の電源（バッテリ）の消耗が早くなるという問題を引き起こす。
【０００４】
さらに、静止画モードから動画モードへの切り替えは、簡易な構成により可能とされることが望ましい。
【０００５】
そこで、本発明は、静止画の撮像が可能な静止画モードと動画の撮像が可能な動画モードとを有している撮像装置において、撮像機能を有する装置部分の電源供給を最小限に抑えることができ、かつ、簡易な構成により静止画モードから動画モードへの切り替えを行うことができる撮像装置を提供することを目的とする。
【課題を解決するための手段】
【０００６】
上記の目的を達成するために、本発明に係る請求項１に記載の撮像装置は、画像を静止画として撮像する静止画モードと画像を動画として撮像する動画モードとを有する、撮像装置において、所定の操作子を有しており、撮像に関する操作が可能である操作側ブロックと、前記操作側ブロックとは着脱自在であり、前記操作側ブロックで実行された操作に基づいて撮像処理を行う撮像側ブロックと、前記操作側ブロックと前記撮像側ブロックとの間に配設されている電源線とを、備えており、前記撮像側ブロックは、前記所定の操作子が所定時間以上操作され続けられたか否かを判断し、前記所定の操作子が所定時間以上操作され続けた場合には、前記静止画モードから前記動画モードへとモードの切替を行う制御部を、備えており、前記所定の操作子は、前記操作側ブロックから前記撮像側ブロックへの電源の供給を操作する電源ボタンであり、前記電源線を介して、前記電源ボタンの操作に応じた前記操作側ブロックから前記撮像側ブロックへの電源の供給、前記電源ボタンの操作に応じた前記撮像側ブロックに対する撮像操作、および前記電源ボタンの操作に応じた前記モードの切替が行われる。
【００１０】
また、請求項２に記載の撮像装置は、請求項１に記載の撮像装置であって、前記撮像側ブロックは、画像の圧縮データを作成する画像圧縮モジュールを、さらに備えており、前記制御部は、前記動画モードに切り替わった場合には、前記圧縮データに、前記動画モードで撮像されたことを識別するための第一の情報部を付加する。
【００１１】
また、請求項３に記載の撮像装置は、請求項２に記載の撮像装置であって、前記画像圧縮モジュールは、ＪＰＥＧデータである前記圧縮データを作成し、前記制御部は、前記圧縮データに、グループ情報とシーケンシャル情報とから成る第二の情報部を、さらに付加する。
【００１２】
また、請求項４に記載の撮像装置は、請求項１に記載の撮像装置であって、前記撮像側ブロックは、画像の圧縮データを作成する画像圧縮モジュールを、さらに備えており、前記画像圧縮モジュールには、圧縮処理により前記圧縮データを作成する際、および／または前記圧縮データの伸張処理の際に用いられる所定のテーブルが記憶されている。
【００１３】
また、請求項５に記載の撮像装置は、請求項４に記載の撮像装置であって、前記制御部は、前記画像圧縮モジュールにおいて、前記所定のテーブルに含まれる量子化テーブルを用いて前記圧縮データを作成する際に、前記量子化テーブルに対するスケールファクタを変更することが可能であり、前記圧縮データに前記スケールファクタに関する情報を付加する。
【発明の効果】
【００１４】
本発明の請求項１に記載の撮像装置は、画像を静止画として撮像する静止画モードと画像を動画として撮像する動画モードとを有する、撮像装置において、所定の操作子を有しており、撮像に関する操作が可能である操作側ブロックと、前記操作側ブロックとは着脱自在であり、前記操作側ブロックで実行された操作に基づいて撮像処理を行う撮像側ブロックとを、備えており、前記撮像側ブロックは、前記所定の操作子が所定時間以上操作され続けられたか否かを判断し、前記所定の操作子が所定時間以上操作され続けた場合には、前記静止画モードから前記動画モードへとモードの切替を行う制御部を、備えている。したがって、操作側ブロックに撮像側ブロックを常時接続することを防止できる。これにより、操作側ブロックからの撮像側ブロックへの電源供給が行われる場合には、操作側ブロックからの撮像側ブロックへの電源供給を最小限に抑えることができる。つまり、当該操作側ブロックのバッテリの寿命を長く維持することができる。さらに、静止画モードから動画モードへの切り替えは、所定の操作子の操作と、当該操作を認識する制御部とに基づいて行っている。したがって、簡易な構成により、静止画モードから動画モードへの切り替えを可能とすることができる。撮像側ブロックには操作部が必要で無くなる。よって、撮像側ブロックの小型化可能となる。
【００１７】
さらに、請求項１に記載の撮像装置では、電源線のみを別途備えた簡易な撮像装置の構成により、撮像操作、撮像側ブロックへの電源供給および静止画モードから動画モードモードへの切り替えを行うことができる。また、電源ボタンの操作に応じて、必要なときに必要な期間だけ撮像側ブロックへの電源供給が行われている。つまり、電源の供給は、操作側ブロックと撮像側ブロックとの接続中において常に行われていない。したがって、操作側ブロックのバッテリをより節約することができる。
【００１８】
また、請求項２に記載の撮像装置は、請求項１に記載の撮像装置であって、前記撮像側ブロックは、画像の圧縮データを作成する画像圧縮モジュールを、さらに備えており、前記制御部は、前記動画モードに切り替わった場合には、前記圧縮データに、前記動画モードで撮像されたことを識別するための第一の情報部を付加する。したがって、当該圧縮データを再生等する場合に、当該圧縮データが動画モードとして扱うべきであることを、再生機器等側で容易に判断することができる。
【００１９】
また、請求項３に記載の撮像装置は、請求項２に記載の撮像装置であって、前記画像圧縮モジュールは、ＪＰＥＧデータである前記圧縮データを作成し、前記制御部は、前記圧縮データに、グループ情報とシーケンシャル情報とから成る第二の情報部を、さらに付加する。たとえば、一連の動画を動画モードで撮像した場合に得られる複数のＪＰＥＧデータの各々に、所定の同じグループ情報と異なるシーケンシャル情報とを付与したとする。そうすれば、当該複数のＪＰＥＧデータを再生する場合に、再生機器側では、同じグループ番号のＪＰＥＧデータを各々取り出し、当該取り出した各ＪＰＥＧデータを、付与されているシーケンシャル情報と所定の規則とに基づいて順次再生すれば、複数のＪＰＥＧデータを動画データとして容易に再生することができる。
【００２０】
また、請求項４に記載の撮像装置は、請求項１に記載の撮像装置であって、前記撮像側ブロックは、画像の圧縮データを作成する画像圧縮モジュールを、さらに備えており、前記画像圧縮モジュールには、圧縮処理により前記圧縮データを作成する際、および／または前記圧縮データの伸張処理の際に用いられる所定のテーブルが記憶されている。したがって、圧縮データに、所定のテーブルの情報を付加させる必要な無くなる。よって、一の圧縮データに付加される付属のデータ量の削減を図ることができる（つまり、余分なデータが付加されない分、圧縮データを含む全体のデータサイズを無駄に大きくすることを防止できる）。なお、当該効果は、撮像側ブロックの小型化に伴い、撮像素子も小型化された場合に、より有効である。これは、撮像素子の小型化に伴い非常に小さくなった圧縮データのデータ量に対する、所定のテーブルのデータ量の比率が大きくなるからである。
【００２１】
また、請求項５に記載の撮像装置は、請求項４に記載の撮像装置であって、前記制御部は、前記画像圧縮モジュールにおいて、前記所定のテーブルに含まれる量子化テーブルを用いて前記圧縮データを作成する際に、前記量子化テーブルに対するスケールファクタを変更することが可能であり、前記圧縮データに前記スケールファクタに関する情報を付加する。したがって、基本となる量子化テーブルを一定にしたまま、スケールファクタを変更するだけで圧縮率を制御することができる。たとえば、当該圧縮率の制御を利用することにより、動画モード時において、作成される圧縮データのデータレートを画像毎に一定にすることができる。また、静止画モードにおいて、作成される各圧縮データのファイルサイズを画像毎に一定にすることができる。
【発明を実施するための最良の形態】
【００２２】
以下、この発明をその実施の形態を示す図面に基づいて具体的に説明する。
【００２３】
＜実施の形態１＞
本発明に係わる撮像装置の構成を図１に示す。
【００２４】
図１に示すように、本発明に係わる撮像装置は、操作側ブロック１０および撮像側ブロック２０から構成されている。
【００２５】
ここで、操作側ブロック１０と撮像側ブロック２０とは、図１に示すように互いに独立した存在であり、また、操作側ブロック１０に対して撮像側ブロック２０は着脱自在である。また、本発明に係わる撮像装置は、画像を静止画として撮像する静止画モードと画像を動画として撮像する動画モードとを有している。なお、本発明に係わる撮像装置では、撮像処理前は静止画モードが設定されている。
【００２６】
操作側ブロック１０は、撮像の操作が行われるブロックである。たとえば、操作側ブロック１０として携帯情報端末機器を採用することができる。当該操作側ブロック１０は、図１に示すように、電子表示パネル１と複数の操作部２とを備えている。ここで、電子表示パネル１では、画像の表示が行われ、たとえばＬＣＤ等で構成されている。また、操作部２には、撮像操作を担うレリーズボタン（所定の操作子と把握できる）が含まれている。
【００２７】
撮像側ブロック２０では、操作側ブロック１０で実行された操作に基づいて撮像処理が行われる。また、操作側ブロック１０が別途存在することからも明らかなように、撮像側ブロック２０には、操作部は設けられていない。当該撮像側ブロック２０は、レンズ２１、撮像素子２２、Ａ／Ｄ変換部２３、画像処理モジュール２４、画像圧縮伸張モジュール２５、および制御部２６から構成されている。
【００２８】
なお、図１に示すように、撮像側ブロック２０は、メモリカード２７の差込が可能な構成となっている。当該メモリカード２７には、撮像側ブロック２０で作成された圧縮データ等が記憶（格納）される。なお、他の形態として、当該圧縮データ等を記憶（格納）する記憶部を撮像側ブロック２０内部に設けられていても良い。
【００２９】
撮像側ブロック２０において、レンズ２１から入射されてきた光は、撮像素子２２で結像される。そして、撮像素子２２では、結像された像をアナログ信号として出力する。ここで、撮像素子２２は、たとえばＣＣＤやＣＭＯＳなどで構成されている。
【００３０】
Ａ／Ｄ変換部２３は、撮像素子２２から出力されたアナログ信号を、デジタル信号に変換する。また、画像処理モジュール２４は、当該変換後のデジタル信号に対して、画素補間処理やフィルタリング処理などを行う。また、画像圧縮伸張モジュール２５では、画像データの圧縮・伸張処理に関する諸処理が実施される（撮像画像の圧縮データの作成および当該圧縮データの伸張）。なお、メモリカード２７には、圧縮データ等が記憶される。
【００３１】
制御部２６は、撮像側ブロック２０内部の諸回路部の制御を行うと共に、本実施の形態では、以下の判断・制御処理も実行する。
【００３２】
つまり、制御部２６には、レリーズボタンの入力信号が操作側ブロック１０から送られてくる。そして、制御部２６は、当該入力信号を検知した上で、操作側ブロック１０においてレリーズボタン（所定の操作子）が、所定時間以上入力（操作）され続けられたか否かを判断する。
【００３３】
制御部２６が、レリーズボタンが所定時間以上入力され続けられたと判断した場合には、当該制御部２６は、撮像モードを静止画モードから動画モードへモードの切替制御を行う。これに対して制御部２６が、レリーズボタンの入力時間が所定時間未満であると判断した場合には、当該制御部２６は、はじめに設定されている静止画モードを維持する。
【００３４】
また、図１に示すように、操作側ブロック１０と撮像側ブロック２０との間には、レリーズ信号線３０と電源線４０とが各々配設されている。より具体的には、両ブロック１０，２０は、コネクタを介して接続されており、当該コネクタには、レリーズ信号線３０と電源線４０とが配設されている。
【００３５】
レリーズ信号線３０では、操作側ブロック１０から撮像側ブロック２０へのレリーズボタンからの入力信号が伝達される。より具体的に、当該レリーズ線３０を介して、レリーズボタンの操作に応じた撮像側ブロック２０に対する撮像操作、およびレリーズボタンの操作に応じた上記モードの切替が行われる。
【００３６】
電源線４０は、操作側ブロック１０から撮像側ブロック２０への電源の供給経路となる。そして、操作側ブロック１０と撮像側ブロック２０とが接続されている間は、電源線４０を介した電源の供給が常時行われている。
【００３７】
次に、本実施の形態に係わる撮像装置の撮像動作およびモードの切り替え動作について説明する。なお、以下の動作の説明では、操作側ブロック１０が携帯情報端末機器１０であるとする。なお、撮像側ブロック２０は、はじめ静止画モードにモード設定されている。
【００３８】
まず、携帯情報端末機器１０を所持しているユーザは、撮像に際して、当該携帯情報端末機器１０に対して撮像側ブロック２０を取り付ける。なお、上述したように、携帯情報端末機器１０と撮像側ブロック２０とは、コネクタ（レリーズ信号線３０および電源線４０）を介して接続される。また、当該接続後、接続が解消されるまでの間、電源線４０を介して携帯情報端末機器１０から撮像側ブロック２０への電源供給が行われる。
【００３９】
上記接続後、所定の事象を撮像するために、ユーザは、携帯情報端末機器１０の操作部２においてレリーズボタンとして機能するボタンを押圧（入力）する。
【００４０】
ここで、当該押圧が単発的（つまり、レリーズボタンの入力時間が上記所定時間よりも十分に短い場合）なものあったとする。当該場合には、当該レリーズボタンの操作に応じて、撮像側ブロック２０では単発的な画像の撮像が実行される。ここで、レリーズボタンの入力時間が所定時間未満であるので、当該入力信号を受信した制御部２６は、画像を静止画として撮像する（静止画モード）。
【００４１】
また、上記押圧がある程度の間継続された（しかし、レリーズボタンの入力時間が所定時間未満である場合）とする。当該場合には、当該レリーズボタンの操作に応じて、撮像側ブロック２０では、たとえば複数回に渡る撮像（たとえば、１秒間隔に一回の画像撮像）が実行される。ここで、レリーズボタンの入力時間が所定時間未満であるので、当該入力信号を受信した制御部２６は、画像を静止画として撮像する（静止画モード）。
【００４２】
また、上記押圧が長い間継続された（つまり、レリーズボタンを所定時間以上入力され続けた場合）とする。当該場合には、当該レリーズボタンの操作に応じて、撮像側ブロック２０では、たとえば複数回に渡る撮像（たとえば、１秒間隔に一回撮像）が実行される。ここで、レリーズボタンが所定時間以上入力され続けた場合であるので、当該入力信号を受信した制御部２６は、画像を動画として撮像する（動画モード）。
【００４３】
なお、撮像によって撮像素子２２から出力されたアナログ信号は、Ａ／Ｄ変換部２３、画像処理モジュール２４、および画像圧縮伸張モジュール２５において、デジタルカメラ技術分野における周知の各処理が施される。そして、最終的に画像圧縮伸張モジュール２５において作成された圧縮データは、メモリカード２７へ記憶される。
【００４４】
以上のように、本実施の形態に係わる撮像装置は、携帯情報端末機器（操作側ブロック）１０と撮像側ブロック２０とに分割されている。そして、携帯情報端末機器（操作側ブロック）１０に対して撮像機能を有する撮像側ブロック２０の取外しを自由に行うことができる。よって、携帯情報端末機器（操作側ブロック）１０に撮像側ブロック２０を常時接続することを防止できる。
【００４５】
したがって、携帯情報端末機器（操作側ブロック）１０から撮像側ブロック２０への電源供給が行われる場合には、当該電源供給を上記接続の期間だけに限ることができる。よって、携帯情報端末機器（操作側ブロック）１０からの撮像側ブロック２０への電源供給を最小限に抑えることができる。つまり、携帯情報端末機器（操作側ブロック）１０のバッテリの寿命を長く維持することができる。
【００４６】
さらに、本実施の形態に係わる撮像装置では、上記静止画モードから動画モードへの切り替えは、レリーズボタン（所定の操作子と把握できる）の操作、レリーズ信号線３０を介したレリーズボタンからの入力信号の伝達、および当該入力信号を受信した制御部２６における判断により、可能とされている。
【００４７】
つまり、携帯情報端末機器（操作ブロック）１０には操作部２を常に設けられており、撮像側ブロック２０には制御部２６は必須であるので、構成としては別途レリーズ信号線３０を設けるだけで、撮像の操作および静止画モードと動画モードとの切り替えを可能とする撮像装置を構築している。
【００４８】
したがって、操作側ブロック１０と撮像側ブロック２０とに分割されている撮像装置において、簡易な構成のみにより、撮像操作と上記モードの切り替えを可能とすることができる。
【００４９】
また、上記構成から明らかなように、本実施の形態に係わる撮像装置では、撮像側ブロック２０には操作部が無く、撮像機能を有する装置部分のみから構成されている。したがって、撮像側ブロック２０の小型化可能となる。
【００５０】
また、たとえば操作側ブロック１０を携帯情報端末機器とした場合には、必要なときにのみ当該携帯情報端末機器に撮像側ブロック２０を取り付ければ良くなる。したがって、当該携帯情報端末機器を通常の情報機器として使用する場合には、当該携帯情報端末機器の軽量化が図ることができる。
【００５１】
また、本実施の形態に係わる撮像装置では、操作側ブロックと１０撮像側ブロック２０との間に電源の供給経路となる電源線４０が配設されている。そして、操作側ブロック１０と撮像側ブロック２０とが接続されている間は、当該電源線４０を介した電源の供給が常時行われている。
【００５２】
したがって、電源供給開始してから所定時間経過後に撮像操作を開始すれば、撮像側ブロック２０において安定した電圧状態で撮像動作を実施することができる。よって、撮像側ブロック２０において確実に正常な撮像動作が常に行われる。
【００５３】
＜実施の形態２＞
本実施の形態に係わる撮像装置の構成を図２に示す。図１と図２との比較から分かるように、構成面だけを見た場合には、実施の形態１に係わる撮像装置はレリーズ信号線３０が配設されているが、本実施の形態に係わる撮像装置では、当該レリーズ信号線３０は設けられていない。つまり、両ブロック１０，２０の接続を担うコネクタ部には、レリーズ信号線３０は配設されていない。
【００５４】
また、図面では明記されていないが、本実施の形態に係わる撮像装置では、操作部２には、操作側ブロック１０から撮像側ブロック２０への電源の供給を操作するための電源ボタンが含まれている。また、本実施の形態では、当該電源ボタンの操作に応じて撮像側ブロック２０の撮像操作も制御されている。さらに、本実施の形態では、当該電源ボタン（所定の操作子と把握できる）の操作に応じて、静止画モードから動画モードへと撮像モードを切り替えることができる。
【００５５】
図２において、実施の形態１と同様に、操作側ブロック１０と撮像側ブロック２０との間には、電源線４０が配設されている。しかし、本実施の形態に係わる撮像装置では、当該電源線４０を介して、電源ボタンの操作に応じた操作側ブロック１０から撮像側ブロック２０への電源の供給、電源ボタンの操作に応じた撮像側ブロック２０に対する撮像操作、および電源ボタンの操作に応じた前記モードの切替が行われる。
【００５６】
また、制御部２６は、撮像側ブロック２０内部の諸回路部の制御を行うと共に、本実施の形態では、以下の判断・制御処理も実行する。
【００５７】
つまり、制御部２６には、操作側ブロック１０から電源ボタンの入力信号が送られてくる。そして、制御部２６は、操作側ブロック１０において電源ボタン（所定の操作子）が、所定時間以上入力（操作）され続けられたか否かを判断する。
【００５８】
制御部２６が、電源ボタンが所定時間以上入力され続けられたと判断した場合には、当該制御部２６は、撮像モードを静止画モードから動画モードへと切り替える。これに対して制御部２６が、電源ボタンの入力時間が所定時間未満であると判断した場合には、当該制御部２６は、はじめに設定されている静止画モードを維持する。
【００５９】
なお、その他の撮像装置の構成は、実施の形態１に係わる撮像装置の構造と同様である。したがって、ここでの他の構成の説明は、省略する。
【００６０】
次に、本実施の形態に係わる撮像装置の撮像動作およびモードの切り替え動作について説明する。なお、以下の動作の説明では、操作側ブロック１０が携帯情報端末機器１０であるとする。
【００６１】
まず、携帯情報端末機器１０を所持しているユーザは、撮像に際して、当該携帯情報端末機器１０に対して撮像側ブロック２０と取り付ける。なお、上述したように、携帯情報端末機器１０と撮像側ブロック２０とは、電源線４０を介して接続される。なお、当該接続後、電源ボタンの入力があるまでは、電源線４０を介した携帯情報端末機器１０から撮像側ブロック２０への電源供給が行われない。
【００６２】
上記接続後、所定の事象を撮像するために、ユーザは、携帯情報端末機器１０の操作部２において電源ボタンを入力する。
【００６３】
ここで、当該入力が単発的（つまり、電源ボタンの入力時間が上記所定時間よりも十分に短い場合）なものあったとする。当該場合には、当該電源ボタンの操作に応じて、たとえば所定時間だけ、電源線４０を介して携帯情報端末機器１０から撮像側ブロック２０へ電源供給が行われる。そして、当該電源供給開始後、電源ボタンの操作に応じて、撮像側ブロック２０では単発的な画像の撮像が実行される。ここで、電源ボタンの入力時間が所定時間未満であるので、当該入力信号を受信した制御部２６は、画像を静止画として撮像する（静止画モード）。
【００６４】
また、上記電源ボタンの入力がある程度の間継続された（しかし、電源ボタンの入力時間が所定時間未満である場合）とする。当該場合には、当該電源ボタンの操作に応じて、たとえば所定時間だけ、電源線４０を介して携帯情報端末機器１０から撮像側ブロック２０へ電源供給が行われる。そして、当該電源供給開始後、電源ボタンの操作に応じて、撮像側ブロック２０では、たとえば複数回に渡る撮像（たとえば、１秒間隔に一回の画像撮像）が実行される。ここで、電源ボタンの入力時間が所定時間未満であるので、当該入力信号を受信した制御部２６は、画像を静止画として撮像する（静止画モード）。
【００６５】
また、上記電源ボタンの入力が長い間継続された（つまり、電源ボタンを所定時間以上入力され続けた場合）とする。当該場合には、当該電源ボタンの操作に応じて、たとえば所定時間だけ、電源線４０を介して携帯情報端末機器１０から撮像側ブロック２０へ電源供給が行われる。そして、当該電源供給開始後、電源ボタンの操作に応じて、撮像側ブロック２０では、たとえば複数回に渡る撮像（たとえば、１秒間隔に一回の画像撮像）が実行される。ここで、電源ボタンが所定時間以上入力され続けた場合であるので、当該入力信号を受信した制御部２６は、画像を動画として撮像する（動画モード）。
【００６６】
その他の撮像装置の動作の説明は、実施の形態１に係わる撮像装置と同様である。したがって、ここでの詳細な説明は省略する。
【００６７】
以上のように、本実施の形態に係わる撮像装置においても、実施の形態１と同様に、操作側ブロック１０と撮像側ブロック２０とに分割されている。そして、操作側ブロック１０に対して、撮像機能を有する撮像側ブロック２０の取外しを自由に行うことができる。よって、操作側ブロック１０に撮像側ブロック２０を常時接続することを防止できる。
【００６８】
よって、操作側ブロック１０からの撮像側ブロック２０への電源供給を最小限に抑えることができる。つまり、当該操作側ブロック１０のバッテリの寿命を長く維持することができる。
【００６９】
さらに、本実施の形態に係わる撮像装置では、電源ボタンの操作、当該操作を認識する制御部２６、および電源線４０のみにより、撮像の操作、操作側ブロック１０から撮像側ブロック２０への電源供給および静止画モードから動画モードへの撮像モードの切り替えを可能とする構造を構築している。
【００７０】
したがって、操作側ブロック１０と撮像側ブロック２０とに分割されている撮像装置において、簡易な構成のみにより、撮像操作、上記撮像側ブロックへの電源供給およびモードの切り替えを可能とすることができる。つまり、本実施の形態では、実施の形態１の構成と比較して、さらにレリーズボタンおよびレリーズ線３０を必要としない。
【００７１】
また、本実施の形態に係わる撮像装置では、電源ボタンの操作に応じて、必要なときに必要な期間だけ撮像側ブロック２０への電源供給が行われている。つまり、電源の供給は、操作側ブロック１０と撮像側ブロック２０との接続中において常に行われていない。したがって、操作側ブロック１０のバッテリをより節約することができる。
【００７２】
また、上記構成から明らかなように、本実施の形態に係わる撮像装置は、実施の形態１と同様に、撮像側ブロック２０には操作部が無く、撮像機能を有する装置部分のみから当該撮像側ブロック２０は構成されている。したがって、撮像側ブロック２０の小型化可能となる。
【００７３】
また、たとえば操作側ブロック１０を携帯情報端末機器とした場合には、必要なときにのみ当該携帯情報端末機器に撮像側ブロック２０を取り付ければ良くなる。したがって、当該携帯情報端末機器を通常の情報機器として使用する場合には、当該携帯情報端末機器の軽量化が図ることができる。
【００７４】
＜実施の形態３＞
本実施の形態に係わる撮像装置では、実施の形態１，２に記載の制御部２６が以下の制御を行うことが特徴である。
【００７５】
つまり、図１，２において、撮像側ブロック２０における撮像モードが静止画モードから動画モードに切り替わった場合には、制御部２６は、画像圧縮伸張モジュール２５で作成された画像の圧縮データ（以下、ＪＰＥＧデータとして話を進める）に、動画モードで撮像されたことを識別するための第一の情報部を付加する。
【００７６】
また、制御部２６は、画像圧縮伸張モジュール２５で作成されたＪＰＥＧデータに、グループ情報とシーケンシャル情報とから成る第二の情報部を付加する。
【００７７】
図３に、画像の圧縮データ（ＪＰＥＧデータ）に、第一の情報部と第二の情報部とが付加されたデータ構造を示す。
【００７８】
たとえば、一連の動画（第一の動画と称する）を撮像するに際して、実施の形態１，２に記載の動作により、撮像装置が静止画モードから動画モードに切り替わったとする。すると、画像圧縮伸張モジュール２５では、当該第一の動画を構成する、複数のＪＰＥＧデータ（第一のＪＰＥＧデータ群と称する）が作成される。
【００７９】
その後、制御部２６では、第一のＪＰＥＧデータ群を構成する各ＪＰＥＧデータに、動画モードで撮像されたデータであることを示す第一の情報部を付加する（図３）。
【００８０】
ここで、動画モードで撮像されたデータに対して当該第一の情報部を付加し、静止画モードで撮像されたデータに対して当該第一の情報部を付加しないようにしても良い。また、動画データであるか静止画データであるか否か判別できる情報を当該各ＪＰＥＧデータに付加しておき、動画モードで撮像された場合には、当該情報のフラグを立てる（当該フラグが立った情報が第一の情報部と把握できる）ようにしても良い。
【００８１】
さらに、制御部２６は、第一のＪＰＥＧデータ群を構成する各ＪＰＥＧデータに、動画管理情報と把握できる第二の情報部を付加する。ここで、上述の通り、第二の情報部は、グループ情報とシーケンシャル情報とから成る。
【００８２】
なお、第一のＪＰＥＧデータ群を構成する各ＪＰＥＧデータに付加されるグループ情報は、各ＪＰＥＧデータにおいて同じである。これは、第一のＪＰＥＧデータ群を構成する各ＪＰＥＧデータを、同一のグループに属していることを規定するためである。
【００８３】
また、第一のＪＰＥＧデータ群を構成する各ＪＰＥＧデータに付加されるシーケンシャル情報は、ＪＰＥＧデータの各々で異なる。つまり、第一のＪＰＥＧデータ群内において各ＪＰＥＧデータの順序を規定するために、当該各ＪＰＥＧにたとえば連続する番号が付与される。
【００８４】
したがって、第一のＪＰＥＧデータ群において、シーケンシャル情報であるたとえば番号を数字の若い順にＪＰＥＧデータを連続して再生すると、第一の動画が表示される。
【００８５】
なお、上記とは異なる一連の動画（第二の動画と称する）を別途動画モードで撮像した場合には、当該第二の動画を構成する複数のＪＰＥＧデータ（第二のＪＰＥＧデータ群と称する）には、当該第二のデータ群を構成する各ＪＰＥＧデータにおいて、第一の動画と識別できるように、第一のＪＰＥＧデータ群において付加されたグループ情報とは異なるグループ情報が付与される。なお、第二のＪＰＥＧデータ群を構成する各ＪＰＥＧデータには、同じグループ情報が付加される。
【００８６】
なお、上述からも明らかなように、図１，２に示すメモリカード２７には、第一の情報部、第二の情報部が付加された圧縮データが格納される。
【００８７】
以上のように、本実施の形態に係わる撮像装置では、制御部２５の制御の下、圧縮データに動画モードで撮像されたことを示す第一の情報部が付加されている。したがって、当該圧縮データを再生等する場合に、当該圧縮データが動画モードとして扱うべきであることを、再生機器等側で容易に判断することができる。
【００８８】
また、ＪＰＥＧデータである圧縮データには、さらに第二の情報部が付加されている。そして、第二の情報部は、グループ情報とシーケンシャル情報とから成る。したがって、たとえば、一連の動画を動画モードで撮像した場合に得られる複数のＪＰＥＧデータの各々に、所定の同じグループ情報と異なるシーケンシャル情報とを付与したとする。
【００８９】
そうすれば、当該複数のＪＰＥＧデータを再生する場合に、再生機器側では、同じグループ番号のＪＰＥＧデータを各々取り出し、当該取り出した各ＪＰＥＧデータを、付与されているシーケンシャル情報と所定の規則とに基づいて順次再生すれば、複数のＪＰＥＧデータを動画データとして容易に再生することができる。
【００９０】
＜実施の形態４＞
従来、図４に示すように、画像の圧縮データ（たとえば、ＪＰＥＧデータ）には、当該圧縮データの圧縮処理の際に用いられた量子化テーブルやＨｕｆｆｍａｎｎテーブル等の所定のテーブルの付加情報が付加されている。これは、当該付加されている所定のテーブルに基づいて、圧縮データの伸張を行うためである。
【００９１】
これに対して、本実施の形態に係わる撮像装置では、実施の形態１，２に係わる撮像装置において、画像圧縮伸張モジュール２５には、画像データの圧縮・伸張の際に用いられる、量子化テーブルやＨｕｆｆｍａｎｎテーブル等の所定のテーブルが記憶されている。そして、本実施の形態に係わる撮像装置では、画像圧縮伸張モジュール２５において予め記憶されている当該所定のテーブルを用いて、画像データの圧縮処理および圧縮データの伸張処理が実施される。
【００９２】
したがって、本実施の形態に係わる撮像装置が備える画像圧縮伸張モジュール２５において作成される、画像の圧縮データ（たとえば、ＪＰＥＧデータ）には、図５に示すように、所定のテーブルの情報は付加されない。そして、当該所定のテーブルの情報が付加されていない圧縮データが、図１，２に示されているメモリカード２７に格納される。
【００９３】
以上のように、本実施の形態に係わる撮像装置では、撮像側ブロック２０において予め用意されている量子化テーブル、Ｈｕｆｆｍａｎテーブル等の所定のテーブルを用いて、画像の圧縮データを作成している。そして、当該予め用意されている所定のテーブルを用いて、圧縮データを伸張している。
【００９４】
したがって、当該圧縮データには、上記量子化テーブル等の所定のテーブルの情報を付加させる必要な無くなる。よって、一の圧縮データに付加される付属のデータ量の削減を図ることができる（つまり、余分なデータが付加されない分、圧縮データを含む全体のデータサイズを無駄に大きくすることを防止できる）。
【００９５】
なお、当該量子化データ等の所定のテーブルは、撮像側ブロック２０の他に圧縮データを再生する機器側でも予め用意されている必要があることは、言うまでも無い。
【００９６】
撮像側ブロック２０は上記したように小型化できるが、当該小型化に伴い撮像素子２２も小型化された場合に、上記圧縮データに付属するデータ量の削減効果が特に有効である。これは、撮像素子２２の小型化に伴い非常に小さくなった圧縮データのデータ量に対する、量子化テーブル等の所定のテーブルのデータ量の比率が大きくなるからである。
【００９７】
＜実施の形態５＞
実施の形態４に係わる撮像装置では、いつも同じ所定のテーブルを用いてデータの圧縮が実施される。したがって、当該撮像装置で作成される圧縮データの圧縮率は、常に同じとなる。
【００９８】
これに対して、本実施の形態に係わる撮像装置では、実施の形態４に係わる撮像装置において、圧縮データの圧縮率を変更（制御）することができる構成となっている。つまり、本実施の形態に係わる撮像装置は、実施の形態４に係わる撮像装置（つまり、所定のテーブルが予め記憶されている撮像装置）において、制御部２６は、以下の制御を実行する。
【００９９】
図１，２において、画像圧縮伸張モジュール２５において所定のテーブルに含まれる量子化テーブルを用いて圧縮データを作成する際に、制御部２６は、量子化テーブルに対するスケールファクタを画像毎に変更することができる。さらに制御部２６は、当該圧縮データに当該スケールファクタに関する情報を付加する。
【０１００】
具体的に、画像圧縮伸張モジュール２５において圧縮データを作成する際、当該画像圧縮伸張モジュール２５に予め記憶されている所定のテーブルに含まれる量子化テーブルを用いる。このとき、制御部２６は、画像毎にスケールファクタを所望の値に変更し、予め記憶されている量子化テーブルに当該所望の値に変更したスケールファクタを乗算して得られる量子化テーブルを用いて、画像の圧縮データを作成する。
【０１０１】
さらに、制御部２６は、作成された圧縮データに、当該所望の値に変更したスケールファクタの情報を付加する。そして、当該スケールファクタの情報が付加された圧縮データが、図１，２に示されているメモリカード２７に格納される。
【０１０２】
なお、上記で作成された圧縮データを伸張する際には、予め記憶されている量子化テーブルと、圧縮データに付加されているスケールファクタ情報とに基づいて行う。
【０１０３】
以上のように、本実施の形態に係わる撮像装置では、予め記憶されている量子化テーブルに乗算するスケールファクタのみを画像毎に変更することが可能である。そして、圧縮データに当該スケールファクタに関する情報を付加している。
【０１０４】
したがって、実施の形態４に係わる撮像装置を用いた場合に発生する圧縮率が常に同じであるという問題を、解消することができる。つまり、本実施の形態に係わる撮像装置を採用することにより、基本となる量子化テーブルを一定にしたまま、スケールファクタを変更するだけで圧縮率を制御することができる。
【０１０５】
たとえば、当該圧縮率の制御を利用することにより、動画モード時において、作成される圧縮データのデータレートを画像毎に一定にすることができる。また、静止画モードにおいて、作成される各圧縮データのファイルサイズを画像毎に一定にすることができる。
【図面の簡単な説明】
【０１０６】
【図１】実施の形態１に係わる撮像装置の構成を示す図である。
【図２】実施の形態２に係わる撮像装置の構成を示す図である。
【図３】圧縮データに第一の情報部、第二の情報部が付加されているデータ構造を示す図である。
【図４】圧縮データに所定のテーブル情報が付加されているデータ構造を示す図である。
【図５】圧縮データに所定のテーブル情報が付加されていないデータ構造を示す図である。
【符号の説明】
【０１０７】
２  操作部
１０  操作側ブロック
２０  撮像側ブロック
２５  画像圧縮伸張モジュール
２６  制御部
３０  レリーズ信号線
４０  電源線
【図１】
0004682382.tif 000002
【図２】
0004682382.tif 000003
【図３】
0004682382.tif 000004
【図４】
0004682382.tif 000005
【図５】
0004682382.tif 000006